(57)【要約】【課題】精度の高い前立腺癌の判定方法を提供する。【解決手段】前立腺癌の判定方法は、被検体由来の試料に含まれる複数の脂質分子種を検出するステップと、検出された複数の脂質分子種のうち、少なくとも幾つかの脂質分子種の存在比を得るステップとを含んでいる。被検体由来の試料は、尿または前立腺組織であってよい。複数の脂質分子種を検出するステップは、質量分析を行うステップを含んでいてよい。【選択図】図３
2020034556.tif 000002
【特許請求の範囲】
【請求項１】
被検体由来の試料に含まれる複数の脂質分子種を検出するステップと、
検出された前記複数の脂質分子種のうち、少なくとも幾つかの脂質分子種の存在比を得るステップとを含み、
前記被検体由来の試料は、該被検体に対して直腸診を行った後に採取された尿である、
前立腺癌の判定方法。
【請求項２】
被検体由来の試料に含まれる複数の脂質分子種を検出するステップと、
検出された前記複数の脂質分子種のうち、少なくとも幾つかの脂質分子種の存在比を得るステップとを含み、
前記被検体由来の試料は、前立腺組織である、
前立腺癌の判定方法。
【請求項３】
前記少なくとも幾つかの脂質分子種は、ホスファチジルコリン（ＰＣ）とリゾホスファチジルコリン（ＬＰＣ）を含む、
請求項１又は２に記載の前立腺癌の判定方法。
【請求項４】
前記少なくとも幾つかの脂質分子種は、互いに不飽和度の異なる２つのホスファチジルコリン（ＰＣ）、および、リゾホスファチジルコリン（ＬＰＣ）である、
請求項１又は２に記載の方法。
【請求項５】
前記複数の脂質分子種を検出するステップは、質量分析を行うステップを含む、
請求項１から４のいずれか１項に記載の前立腺癌の判定方法。
【請求項６】
前記複数の脂質分子種を検出するステップの前に、前記被検体由来の試料から前記複数の脂質分子種を抽出するステップを含む、
請求項１から５のいずれか１項に記載の方法。
【発明の詳細な説明】
【技術分野】
【０００１】
本発明は、前立腺癌の判定方法に関する。
【背景技術】
【０００２】
前立腺癌は、特に欧米諸国では罹患率の高い悪性疾患であり、日本でも近年その罹患率の増加が著しい。従って、前立腺癌の判定精度の向上が求められている。
【０００３】
従来、前立腺癌を判定するためのバイオマーカーとして、血清中の前立腺特異抗原(ＰＳＡ：prostate-specific antigen)が用いられている。しかし、ＰＳＡは、前立腺特異抗原であって前立腺癌特異抗原でないので、前立腺肥大症、前立腺炎などの良性疾患や直腸診、射精行為によっても値が上昇することがある。従って、ＰＳＡ検査では、前立腺癌の検出感度は高いものの、検出特異度（つまり、判定精度）が低いという問題がある。
【先行技術文献】
【特許文献】
【０００４】
【特許文献１】国際公開第２０１３／１４６９９７号
【非特許文献】
【０００５】
【非特許文献１】“Decreased Expression of Lysophosphatidylcholine(16:0/OH) in High Resolution Imaging Mass Spectrometry Independently Predicts Biochemical Recurrence After Surgical Treatment for Prostate Cancer”, The Prostate 75:1821-1830, 2015
【発明の概要】
【発明が解決しようとする課題】
【０００６】
本発明は、精度の高い前立腺癌の判定方法を提供することを課題とする。
【課題を解決するための手段】
【０００７】
本発明は、
被検体由来の試料に含まれる複数の脂質分子種を検出するステップと、
検出された前記複数の脂質分子種のうち、少なくとも幾つかの脂質分子種の存在比を得るステップとを含み、
前記被検体由来の試料は、該被検体に対して直腸診を行った後に採取された尿である、
前立腺癌の判定方法に関する。
【発明の効果】
【０００８】
本発明によれば、精度の高い前立腺癌の判定方法が得られる。
【図面の簡単な説明】
【０００９】
【図１】第１の実施例において、典型的な前立腺癌患者及び良性前立腺肥大症患者の被検体試料から取得した、代表的なＭＡＬＤＩ−ＴＯＦＭＳの出力スペクトルを示す。
【図２】図１のスペクトルのうちｍ／ｚ＝７００〜９００（図１において破線で囲まれた部分）の拡大図を示す。
【図３】第１の実施例の被検体から取得した尿試料につき、ＰＣ［ＰＣ（３４：１）とＰＣ（３４：２）の和］とＬＰＣ（１６：０）の存在比を統計処理した結果を示すグラフである。
【図４】第１の実施例の被検体から取得した血液試料につき、血清ＰＳＡ濃度を統計処理した結果を示すグラフである。
【図５】第１の実施例の被検体から取得した尿試料、血液試料につき、前立腺癌と前立腺肥大症との識別におけるＲＯＣ曲線を示す。
【図６】第２の実施例の被検体から取得した尿試料につき、ＰＣｓ［ＰＣ（３４：１）とＰＣ（３４：２）の和］とＬＰＣ（１６：０）の存在比を統計処理した結果を示すグラフである。
【図７】第２の実施例の被験体から取得した尿試料につき、前立腺癌と前立腺肥大症との識別におけるＲＯＣ曲線を示す。
【発明を実施するための形態】
【００１０】
以下、添付の図面を参照して、本発明に係る実施の形態を説明する。
【００１１】
本発明の実施形態に係る前立腺癌の判定方法は、さまざまな前立腺癌の検査に用いることができる。前立腺癌の検査は、例えば、（１）健康診断における前立腺癌のスクリーニング、（２）前立腺癌と良性前立腺肥大症との判別、（３）前立腺癌の治療中または治療後における治療効果のモニタリング、（４）前立腺癌治療後における再発の検出、（５）被検体の予後の判定である。
【００１２】
前記（１）について詳しく述べると、例えばＰＳＡ検査を含む一般の健康診断や人間ドックにおいて、ＰＳＡの値が高い、あるいは前立腺の肥大症状がみられるといった理由で前立腺癌の疑いがもたれた被検者については、精密検査において前記前立腺癌の判定方法を用いて、前立腺肥大症であるのか前立腺癌であるのかを判別することができる。
【００１３】
本発明の実施形態に係る前立腺癌の判定方法は、以下のステップを含んでいる。
（ステップｉ）被検体由来の試料に含まれる複数の脂質分子種を検出するステップ
（ステップｉｉ）ステップｉで検出された複数の脂質分子種のうち、少なくとも幾つかの脂質分子種の存在比を得るステップ
（ステップｉｉｉ）ステップｉｉで得た存在比を基に前立腺癌の判定を行うステップ
【００１４】
［ステップｉ］
ステップｉでは、被検体由来の試料に含まれる複数の脂質分子種を検出する。被検体は、前立腺癌の疑いがある生体であり、人または他の動物（例えば、犬）であってよい。
【００１５】
被検体由来の試料は、任意の生体試料であってよく、尿または前立腺組織であってよい。試料が尿である場合、通常の排尿時に採取した尿を用いてもよいし、被検体に対して直腸診（直腸指診、前立腺マッサージとも称される）を行った後に採取した尿を用いてもよい。前立腺マッサージを行った後に（好ましくは、直後に）採取した尿を用いることにより、通常の排尿時に採取した尿を用いた場合に比べて、前立腺癌の判定精度が向上することがわかっている。
【００１６】
検出される脂質分子種としては、ホスファチジルエタノールアミン（ＰＥ）、リゾホスファチジルコリン（ＬＰＣ）、ホスファチジルコリン（ＰＣ）、ホスホセリン（ＰＳ）、スフィンゴミエリン（ＳＭ）、ホスファチジルグリセロール（ＰＧ）などのリン脂質およびこれらのサブクラスが想定される。「サブクラス」の定義は一般的な定義に従うが、当該脂質分子種の異性体、ならびに、当該脂質分子種に対して脂肪酸の組成および／または脂肪酸の炭素数が異なる分子、更には異なる結合様式を含む概念である。抽出溶媒を変更することにより、検出される脂質分子種およびそのサブクラスも変わる。
【００１７】
複数の脂質分子種は、任意の手法で検出してよい。複数の脂質分子種は、例えば、（１）質量分析法、（２）クロマトグラフィー法（液体クロマトグラフィー（ＬＣ）、ガスクロマトグラフィー（ＧＣ）など）、（３）電気泳動法（キャピラリー電気泳動など）、（４）免疫抗体を用いたイムノアッセイ法などを任意に組み合わせて検出してよい。
【００１８】
前記（１）質量分析法は、例えば、レーザーイオン化飛行時間型質量分析法（ＬＤＩ−ＴＯＦ／ＭＳ法）、エレクトロスプレーイオン化質量分析法（ＥＳＩ−ＭＳ法）であってもよい。
【００１９】
ＴＯＦ／ＭＳ法では、ＴＯＦ／ＭＳ装置によって得られるスペクトルのパターン分析によって、対象の脂質分子種を検出することができる。特定のｍ／ｚ値のピークが存在するか否かを検出することにより、試料中に対象の脂質分子種が存在するか否か、という定性的検出を行うことができる。また、スペクトルのｍ／ｚピークの高値・低値によって定量的検出も可能である。ＬＤＩ−ＴＯＦ／ＭＳは、例えば、マトリックス支援レーザーイオン化飛行時間型質量分析法（ＭＡＬＤＩ−ＴＯＦ／ＭＳ法）、表面増強レーザー脱離イオン化飛行時間型質量分析法（ＳＥＬＤＩ−ＴＯＦ／ＭＳ法）であってもよい。
【００２０】
ＭＡＬＤＩ−ＴＯＦ／ＭＳ法は、ＭＡＬＤＩとＴＯＦ／ＭＳを組み合わせたオミックス解析法である。下記実施例には本解析法を用いた具体例が記載されている。生体試料に適当な前処理を施して分析用試料とし、これにα−シアノ−４−ヒドロキシ桂皮酸（ＣＨＣＡ）及びジヒドロキシ安息香酸（ＤＨＢ）などのマトリックス溶液を加えてＭＡＬＤＩ−ＴＯＦ／ＭＳシステムにアプライすればよい。
【００２１】
ＳＥＬＤＩ−ＴＯＦ／ＭＳ法は、ＳＥＬＤＩとＴＯＦ／ＭＳを組み合わせたプロテインチップ技術である。生体試料に適当な前処理を施して分析用試料とし、プロテインチップに分析用試料をアプライして脂質分子種をチップ上に吸着させ、ＳＥＬＤＩ−ＴＯＦ／ＭＳシステムに装填すればよい。疎水性基やイオン交換基、金属イオン固定基などの官能基を固定化したチップのほか、対象の脂質分子種に対する特異的結合分子（例えば、抗体、抗体断片、アプタマーなど）を固定化したチップを作製して用いてもよい。
【００２２】
ＥＳＩ−ＭＳ法の場合は、高速液体クロマトグラフィー、ガスクロマトグラフィーなどの分離手段と質量分析計を直結させて用いることが好ましい。本発明の脂質分子種は比較的低分子量なので、ＥＳＩ−ＭＳ法を用いて脂質分子種の検出を行う場合には、低分子量の脂質分子種の分離に適した条件で分離手段を使用することが望ましい。
【００２３】
前記（４）免疫抗体を用いたイムノアッセイ法にはさまざまなものが存在し、そのいずれを用いてもよい。イムノアッセイ法を反応形式に基づいて分類すると、サンドイッチ法、競合法、凝集法、ウエスタンブロット法がある。イムノアッセイ法を標識に基づいて分類すると、ラジオイムノアッセイ、蛍光イムノアッセイ、酵素イムノアッセイ（ＥＩＡ）、ビオチンイムノアッセイがある。
【００２４】
イムノアッセイ法の具体例は、ＥＬＩＳＡ法、免疫比濁法（ＴＩＡ法）、ラテックス免疫凝集法（ＬＡＴＥＸ法）、電気化学発光免疫測定法（ＥＣＬＩＡ法）、イムノクロマトグラフィーなどである。また、ガラスやポリマーアレイに抗体を固定化して目的の脂質分子種を検出するマイクロアレイ法やメンブランストリップ法、イムノビーズ法などを用いてもよい。さらに、複数バイオマーカーを同時測定する、マルチプレックスアッセイを用いてもよい。例えば、９６ウェルプレートの各ウェル内に複数の異なる抗体をスポット状に固相化し、基本原理はＥＬＩＳＡ法であるが検出にＥＣＬを用いて、同一ウェル内で生じる発光を別々に検出する方法や、複数抗体が個別に結合した蛍光色素ビーズを用いてＥＬＩＳＡ法とフロ−サイト技術を組み合わせたビーズアレイ方法などを用いてもよい。
【００２５】
抗体及びその抗原結合性断片の作製方法も周知である。抗体はポリクローナル抗体でもモノクローナル抗体でもよいが、再現性などの観点からはモノクローナル抗体が好ましい。抗体の作製は、周知のハイブリドーマ法により行うことができる。具体的には、例えば、化学合成または遺伝子工学的手法により調製した脂質分子種を免疫原として、適宜アジュバントと共に動物（ヒトを除く）を免疫し、該動物体内で抗体を誘起する。該動物から脾細胞やリンパ球のような抗体産生細胞を回収し、これをミエローマ細胞などの不死化細胞と融合させることにより、ハイブリドーマを作製することができる。スクリーニング抗原として検出目的の脂質分子種を使用して、当該ハイブリドーマから、目的の脂質分子種と結合するハイブリドーマを選択し、これを増殖させて培養上清から抗脂質分子抗体を得ることができる。適宜、対象脂質分子種そのものや、対象脂質分子種よりも高分子量の化学種などとの結合性を確認し、脂質分子種への特異性が高い抗体を選択してよい。例えば、脂質分子種がリン脂質であれば、抗体は抗リン脂質抗体であってよい。
【００２６】
「抗原結合性断片」とは、例えば免疫グロブリンのＦａｂ断片やＦ（ａｂ’）２断片のような、当該抗体の対応抗原に対する結合性（抗原抗体反応性）を維持している抗体断片を意味する。このような抗原結合性断片もイムノアッセイに利用可能であることは周知であり、もとの抗体と同様に有用である。Ｆａｂ断片やＦ（ａｂ’）２断片は、周知の通り、モノクローナル抗体をパパインやペプシンのようなタンパク分解酵素で処理することにより得ることができる。なお、抗原結合性断片は、Ｆａｂ断片やＦ（ａｂ’）２断片に限定されるものではなく、対応抗原との結合性を維持しているいかなる断片であってもよく、遺伝子工学的手法により調製されたものであってもよい。また、例えば、遺伝子工学的手法により、一本鎖可変領域（ｓｃＦｖ）を大腸菌内で発現させた抗体を用いることもできる。ｓｃＦｖの作製方法も周知であり、上記の通りに作製したハイブリドーマのｍＲＮＡを抽出し、一本鎖ｃＤＮＡを調製し、免疫グロブリンＨ鎖及びＬ鎖に特異的なプライマーを用いてＰＣＲを行なって免疫グロブリンＨ鎖遺伝子及びＬ鎖遺伝子を増幅し、これらをリンカーで連結し、適切な制限酵素部位を付与してプラスミドベクターに導入し、それで大腸菌を形質転換し、大腸菌からｓｃＦｖを回収することによりｓｃＦｖを作製することができる。このようなｓｃＦｖも「抗原結合性断片」に包含される。
【００２７】
さらには、脂質分子種を検出するために、当該脂質分子種と結合性を有するアプタマーを利用することもできる。アプタマーの製造には、当該脂質分子種の構造情報から結合しうるＤＮＡ・ＲＮＡまたはそれらの誘導体を合成して用いる。当該脂質分子種の測定には、アプタマーの結合を発光法や蛍光法、表面プラズモン共鳴法により検出する。さらにまた、アプタマーを用いる方法以外にも、電気泳動法、ＬＣ法、ＧＣ法などが挙げられる。いずれの方法もそれ自体周知の常法であり、本発明の脂質分子種の検出にそのまま利用することができる。
【００２８】
複数の脂質分子種を検出するステップｉは、複数の脂質分子種を定性的に検出する（つまり、存在を検出する）ステップ、および、複数の脂質分子種を定量的に検出するステップを含んでいる。なお、定量的検出は、半定量的検出であってもよい。定量的検出の結果は、質量分析法を用いた場合は検出イオンの信号強度で示され、電気泳動、液体クロマトグラフィー、ＥＬＩＳＡ法などのイムノアッセイ法などを用いた場合は脂質分子種の含有量で示される。
【００２９】
試料が尿である場合、複数の脂質分子種を検出するステップｉの前に、検出手法に応じた前処理を行うステップを実施してもよい。前処理は、細胞成分（尿路上皮細胞など）の除去、分子篩膜での濃縮、脂質分子種吸着担体での濃縮、イオン交換処理による分画などを組み合わせることにより行う。この前処理は、有機溶媒を用いた手法（例えば、公知のＢｌｉｇｈ−Ｄｙｅｒ法）により、試料から複数の脂質分子種を抽出するステップを含んでいてよい。前記前処理を実施することにより、尿路上皮細胞などの夾雑物が除かれ、ステップｉでの検出精度が向上し、ひいては後述する前立腺癌の判定精度が向上する。
【００３０】
［ステップｉｉ］
ステップｉｉでは、ステップｉで検出された複数の脂質分子種のうち、少なくとも幾つかの脂質分子種の存在比を得る。存在比は、ステップｉで質量分析法を用いた場合は検出イオンの信号強度の比であり、イムノアッセイ法などを用いた場合は脂質分子種の含有量の比である。以下、信号強度と含有量を含む概念として、「検出値」を用いる。存在比を得る対象である少なくとも幾つかの脂質分子種は、ステップｉで検出されるすべての脂質分子種であってもよいし、または、そのうち幾つかであってもよい。
【００３１】
存在比を得る対象である少なくとも幾つかの脂質分子種は、リゾホスファチジルコリン（ＬＰＣ）とホスファチジルコリン（ＰＣ）を含んでいてもよい。なお、化学構造的にリゾホスファチジルコリン（ＬＰＣ）はホスファチジルコリン（ＰＣ）の構成成分である。前記少なくとも幾つかの脂質分子種は、互いに不飽和度の異なる２つのホスファチジルコリン（ＰＣ）、および、リゾホスファチジルコリン（ＬＰＣ）であってもよい。このとき、得られる存在比は、例えば［ＰＣの検出値］／［ＬＰＣの検出値］で表される（当然であるが、その逆数であってもよい）。
【００３２】
前記互いに不飽和度の異なる２つのホスファチジルコリン（ＰＣ）は、
・１-パルミトイル-２-リノレオイル-ｓｎ-グリセロ-３-ホスホコリン(1-palmitoyl-2-linoleoyl-sn-glycero-3-phosphocholine)（以下、ＰＣ（３４：１）と称す）と、
・１-パルミトイル-２-オレオイル-グリセロ-３-ホスホコリン(1-palmitoyl-2-oleoyl-glycero-3-phosphocholine)（以下、ＰＣ（３４：２）と称す）であってよい。
【００３３】
リゾホスファチジルコリン（ＬＰＣ）は、
・１-パルミトイル-２-ヒドロキシ-ｓｎ-グリセロ-３-ホスホコリン(1-palmitoyl-2-hydroxy-sn-glycero-3-phosphocholine)（以下、ＬＰＣ（１６：０）と称す）であってよい。
【００３４】
このとき、得られる存在比の算出において、ＰＣの検出値は、ＰＣ（３４：１）の検出値とＰＣ（３４：２）の検出値との和であってよい。従って、得られる存在比は、＜［ＰＣ（３４：１）の検出値］＋［ＰＣ（３４：２）の検出値］＞／［ＬＰＣ（１６：０）の検出値］で表される。
【００３５】
［ステップｉｉｉ］
ステップｉｉｉでは、ステップｉｉで得た存在比を基に前立腺癌の判定を行う。前立腺癌の判定は、存在比にしきい値を設定し、存在比の値が当該しきい値より大きいとき（または小さいとき）に癌である、と判定してもよく、存在比の値が当該しきい値より小さいとき（または大きいとき）に前立腺肥大症である（または前立腺癌でない）と判断してもよい。あるいは、前立腺癌の判定は、医師などが存在比を確認し、経験に基づいて行ってもよい。
【００３６】
本発明の実施形態では、前立腺癌の判定を行うステップｉｉｉを含めて「前立腺癌の判定方法」と称しているが、本発明はこれに限定されることなく、前立腺癌の判定を行うステップｉｉｉを除く、ステップｉ，ｉｉを実施して前立腺癌の判定支援を行う方法もまた、「前立腺癌の判定方法」に含まれるものとする。
【実施例】
【００３７】
以下、本発明を実施例によって詳細に説明するが、本発明は実施例の記載に限定して解釈されるべきではない。
【００３８】
被検体由来の試料として、第１の実施例では尿を用い、第２の実施例では前立腺組織を用いた。
【００３９】
＜第１の実施例：尿＞
第１の実施例では、前立腺癌を罹患している４０人の被検体（ＰＣａ患者）と良性前立腺肥大症を罹患している２７人の被検体（ＢＰＨ患者）にそれぞれ直腸診を行い、その直後の初尿を５０ｍＬ採取し、これを被検体試料とした。
【００４０】
被検体試料の前処理を実施した。具体的には、採取した被検体試料に対して遠心分離を施して上清を採取し、孔径１００μｍのフィルタを用いてろ過し、尿路上皮細胞等の夾雑物を除いた。これを分析用試料とした。
【００４１】
次に、Ｂｌｉｇｈ−Ｄｙｅｒ法を用いて、１ｍＬの分析用試料から脂質の抽出を行った。遠心減圧濃縮装置を用いて、抽出物を乾固させた。乾固した抽出物を、２００μＬのクロロホルム／メタノール（体積比＝２：１）溶液により再溶解させた。再溶解した抽出溶液と、これと等量の２，５−ジヒドロキシ安息香酸(LaserBio Labs 社製)溶液とを混合した。混合溶液のうち１．５μＬをＭＡＬＤＩ−ＴＯＦ測定用サンプルプレート（Hudson Surface Technology社製：μFocus MALDI plate 900μm）に供し、風乾させた。
【００４２】
ＭＡＬＤＩ−ＴＯＦＭＳ（（株）島津製作所製：AXIMA Performance）を用いて、サンプルプレート上の風乾試料に含まれる脂質を同定した。ＭＡＬＤＩ−ＴＯＦＭＳでの解析は、ｍ／ｚ＝４００〜１０００の範囲で実施した。ＭＳ／ＭＳ解析による脂質の同定は、衝突誘起解離（ＣＩＤ）とポストソース分解（ＰＳＤ）で実施した。
【００４３】
図１は、典型的な前立腺癌患者及び良性前立腺肥大症患者の被検体試料から得られた代表的なＭＡＬＤＩ−ＴＯＦＭＳの出力スペクトルを示す。スペクトルの横軸はｍ／ｚを示しており、縦軸は信号強度を示している。図２は、図１のスペクトルのうちｍ／ｚ＝７００〜９００（図１で破線で囲まれた部分）の拡大図を示す。図中、ＰＣａは前立腺癌患者から得られた試料（ＰＣａ試料）のスペクトルを示し、ＢＰＨは良性前立腺肥大症患者から得られた試料（ＢＰＨ試料）のスペクトルを示す。１ｍＬの超純水でも質量スペクトルを取得し、これをバックグラウンド（Blank control）とした。
【００４４】
図からわかるように、ＰＣａ試料とＢＰＨ試料の両方のスペクトルで多くのピークが確認された。特に、ＰＣａ試料のスペクトルでは、ｍ／ｚ＝７００〜９００の間に多くのピークが確認された。
【００４５】
それぞれのピークに関する脂質分子種の同定については、ＭＳ／ＭＳ解析を行い、得られた質量スペクトルデータについて解析を行った。この結果をもとに前立腺癌および良性前立腺肥大症の両疾患群の間に顕著な増減が認められる存在比を探索した。ピークの信号強度の比は、オープンソースソフトウェア(OpenMS, URL: https://www.openms.de)により求めた。
【００４６】
本発明者らは、鋭意検討の結果、ＰＣs［ＰＣ（３４：１）とＰＣ（３４：２）の和］とＬＰＣ（１６：０）の存在比が、前立腺癌、良性前立腺肥大症の両疾患群の間に顕著な増減を伴うことを見出した。
【００４７】
図３は、２７人のＢＰＨ患者と４０人のＰＣａ患者から取得した血液試料につき、血清ＰＳＡ（前立腺特異抗原）濃度を統計処理した結果を示すグラフである。統計処理にはマン・ホイットニーのＵ検定を用いた。ｐ値は０．６３１７であった。
【００４８】
図４は、図３と同じ患者群から取得した尿試料につき、脂質分子種であるＰＣs［ＰＣ（３４：１）とＰＣ（３４：２）の和］とＬＰＣ（１６：０）の存在比を統計処理した結果を示すグラフである。
【００４９】
図４からわかるように、ｐ値は０．０００３であり、ＢＰＨ患者とＰＣａ患者とで前記脂質分子種の存在比に有意な差が認められる。以上のとおり、本発明の実施形態に係る前立腺癌の判定方法が有効であることを確認した。
【００５０】
図５は、血清ＰＳＡ濃度、ＰＣｓとＬＰＣの存在比（ＰＣｓ／ＬＰＣ）の、前立腺癌と良性前立腺肥大症を識別する指標としての評価を、ＲＯＣ（Receiver Operating Characteristic）解析により行った結果を示すＲＯＣ曲線である。ＲＯＣ曲線は、縦軸を真陽性率、つまり感度(Sensitivity)、横軸を偽陽性率、つまり「１−特異度(1-Specificity)」を尺度としてプロットしたものである。血清ＰＳＡ濃度、ＰＣｓ／ＬＰＣに対してそれぞれカットオフ値を決定し、各カットオフ値よりも血清ＰＳＡ濃度、ＰＣｓ／ＬＰＣが大きければ前立腺癌である可能性が高い（つまり陽性）と判断する。そして、前立腺癌患者全体に対する、陽性と判断された前立腺癌患者の割合より感度を計算し、良性前立腺肥大症患者全体に対する、陽性と判断された良性前立腺肥大症患者の割合より偽陽性率を計算する。同様にして他のカットオフ値での感度と陽性率を計算し、このようにして求めた値をグラフにプロットし、ＲＯＣ曲線を描く。血清ＰＳＡ濃度、ＰＣｓ／ＬＰＣのそれぞれに対するカットオフ値は、前立腺癌のステージや検査の位置づけ、その他種々の条件より決定することができる。このＲＯＣ曲線が座標平面のより左上方に位置するほど検査方法として、優れていると判断することができる。図５からわかるように、尿試料中のＰＣｓ／ＬＰＣの方が、血液試料中の血清ＰＳＡ濃度よりも、前立腺癌と良性前立腺肥大症を識別する指標として優れていることが認められた。
【００５１】
＜第２の実施例：前立腺組織＞
本発明者である後藤らは、前立腺癌を罹患している３１人の被検体（ＰＣａ患者）から採取した前立腺組織を試料として、質量顕微鏡（（株）島津製作所製：iMScope）を用いて質量スペクトルを取得し、論文（非特許文献１）に発表した。そこで、第２の実施例では、非特許文献１に掲載されている質量スペクトルを基に、本発明の実施形態に係る前立腺癌の判定方法が有効であることを確認した。
【００５２】
まず、非特許文献１に記載されている質量スペクトルを取得する手順を簡単に説明する。クライオスタット(Leica社製：CM1850)を用いて、凍結保存された前立腺組織を１０μｍ厚に薄切し、酸化インジウムスズ（ＩＴＯ）でコーティングされたガラスの上に載置する。また、マトリックスとして９−アミノアクリジンヘミ水和物（９−ＡＡ）(Acros Organics社製)が用いられ、これを真空蒸着装置(サンユー電子社製：SVC-700TM/700-2)により２２０℃で８分間、薄切試料の上に蒸着する。
【００５３】
マトリックスが蒸着された薄切試料に対して、ｍ／ｚ＝４００〜１０００の範囲でnegative/positive ion modesで質量分析（ＭＳ１）を行い（分解能：１０μｍ）、質量スペクトルを取得する。取得された質量スペクトルについて、同装置を用いたＭＳ／ＭＳ解析により構造解析を行う。質量スペクトルはトータルイオンカレント（ＴＩＣ）により規格化され、ソフトウェア（（株）島津製作所製：SIMtools）を用いて解析される。また、イオンのイメージングは、ソフトウェア（Novartis社製：Biomap)を用いて行われる。
【００５４】
次に、前記非特許文献１に掲載されている質量スペクトルから、３１人のＰＣａ患者の前立腺癌組織中の非癌部（Benign epithelium）（または正常腺管部）と癌部（Cancer）のそれぞれにつき、ＬＰＣ（１６：０）の信号強度に対するＰＣｓの信号強度［ＰＣ（３４：１）とＰＣ（３４：２）の信号強度の和］の比（ＰＣｓ／ＬＰＣ）を求め、Wilcoxonの符号順位検定を用いて統計処理した。統計処理の結果を図６に示す。
また、３１人のＰＣａ患者の前立腺癌組織中の非癌部と癌部のそれぞれのＰＣｓ／ＬＰＣについて、癌部と非癌部を識別するための指標値としての評価をＲＯＣ解析により行った。その結果であるＲＯＣ曲線を図７に示す。
【００５５】
図６からわかるように、ｐ値は０．０００１未満であり、非癌部と癌部とで前記脂質分子種の存在比に有意な差が認められた。また、図７からわかるように、ＲＯＣ曲線は座標平面の左上方に位置していた。このことから前立腺組織中のＰＣｓとＬＰＣの存在比は、癌部と非癌部を識別する指標として優れていることが確認された。
以上のとおり、本発明の実施形態に係る前立腺癌の判定方法が有効であることを確認した。第２実施例は、同一の被検体から取得された生体試料（前立腺組織）に含まれる複数の脂質分子種につき、前立腺癌の高い判定精度が確認された点で意義がある。
【００５６】
本発明は、上述の実施形態に限定されるべきではなく、さまざまな変形例が可能である。本発明は、以下の態様を包含する。
【００５７】
（１）被検体由来の試料に含まれる複数の脂質分子種を検出するステップと、
検出された前記複数の脂質分子種のうち、少なくとも幾つかの脂質分子種の存在比を得るステップとを含み、
前記被検体由来の試料は、前記被検体に対して直腸診を行った後に採取された尿である、
前立腺癌の判定方法。
【００５８】
（２）被検体由来の試料に含まれる複数の脂質分子種を検出するステップと、
検出された前記複数の脂質分子種のうち、少なくとも幾つかの脂質分子種の存在比を得るステップとを含み、
前記被検体由来の試料は、前立腺組織である、
前立腺癌の判定方法。
【００５９】
前記前立腺癌の判定方法は、前記前立腺癌の判定を支援する方法であってもよい。また、前記前立腺癌の判定方法でなく、前記被検体の診断方法と称してもよい。
【００６０】
（３）前記少なくとも幾つかの脂質分子種は、ホスファチジルコリン（ＰＣ）とリゾホスファチジルコリン（ＬＰＣ）を含む、
（１）又は（２）に記載の前立腺癌の判定方法。
【００６１】
（４）前記少なくとも幾つかの脂質分子種は、互いに不飽和度の異なる２つのホスファチジルコリン（ＰＣ）、および、リゾホスファチジルコリン（ＬＰＣ）である、
（１）又は（２）に記載の方法。
【００６２】
（５）前記複数の脂質分子種を検出するステップは、質量分析を行うステップを含む、
（１）から（４）のいずれかに記載の前立腺癌の判定方法。
【００６３】
（６）前記複数の脂質分子種を検出するステップの前に、前記被検体由来の試料から前記複数の脂質分子種を抽出するステップを含む、
（１）から（５）のいずれか１項に記載の方法。
【図１】
2020034556.tif 000003
【図２】
2020034556.tif 000004
【図３】
2020034556.tif 000005
【図４】
2020034556.tif 000006
【図５】
2020034556.tif 000007
【図６】
2020034556.tif 000008
【図７】
2020034556.tif 000009